(57)【要約】【課題】  走者のポイント通過タイムを走者と指導者が容易に知ることができ、更に指導者から走者へのアドバイスを容易に伝達できるタイム測定システムを提供する。【解決手段】  通過ポイントに設置された子機１００から定期的な無線信号（子機の機器ＩＤを含む）を発信し、走者（競技者）が装着する競技者装置２００がその信号を最初に受信した時刻とその信号を受信しなくなった時刻とから通過ポイントの通過タイムを算出し、算出したタイム及び子機ＩＤを指導者装置３００に送信し、指導者装置３００は子機ＩＤと算出したタイムを受信し、それに基づいたアドバイスを競技者装置２００に送信するタイム測定システムである。【選択図】        図１
2006116084.tif 000002
【特許請求の範囲】
【請求項１】
特定地点に設置され、定期的に機器の識別子を含む信号を送信する子機と、
前記子機からの信号を受信して前記特定地点の通過タイムを計算して表示すると共に、当該通過タイムと前記機器の識別子を送信する競技者装置と、
前記競技者装置から送信された信号を受信し、前記機器の識別子と通過タイムとを出力する指導者装置とを有することを特徴とするタイム測定システム。
【請求項２】
指導者装置は、競技者装置にメッセージを送信し、
前記競技者装置は、前記メッセージを受信して表示することを特徴とする請求項１記載のタイム測定システム。
【請求項３】
競技者装置は、表示の際にアラームを発生させるものであることを特徴とする請求項１又は２記載のタイム測定システム。
【請求項４】
競技者装置は、子機から送信された信号について当該信号の受信開始時刻と受信終了時刻を用いて、両者の中間値を特定地点の通過時刻として算出することを特徴とする請求項１乃至３のいずれか記載のタイム測定システム。
【請求項５】
子機は、微弱無線により送信を行い、
競技者装置は、微弱無線で前記子機からの信号を受信し、指導者装置とは前記微弱無線の通信距離より長い通信距離の小型小電力方式の無線で送受信を行い、
前記指導者装置は、前記競技者装置と前記小型小電力方式の無線で送受信を行うことを特徴とする請求項１乃至４のいずれか記載のタイム測定システム。
【請求項６】
競技者装置は、子機における微弱無線の送信信号の増幅ゲインより高い増幅ゲインに設定することで小型小電力方式の無線での送信を実現することを特徴とする請求項５記載のタイム測定システム。
【発明の詳細な説明】
【技術分野】
【０００１】
本発明は、走者（競技者）の練習中の走行タイムを測定するタイム測定システムに係り、特に、走行タイムを走者に知らせると共に指導者からの指示も知らせられるタイム測定システムに関する。
【背景技術】
【０００２】
従来、走者（ランナー）は、練習においてストップウォッチ機能を備えた腕時計をして、５ｋｍ、１０ｋｍ等のポイントを通過する際に、ウォッチを操作して自己のラップタイムを表示させ、それを確認しながらその後の走りを組み立てるということが為されていた。
【０００３】
尚、従来の走行タイムを測定するシステムとしては、平成１４（２００２）年９月２７日公開の特開２００２−２８１４９２号公報「通過記録システムおよび通過記録方法」（出願人：カシオ計算機株式会社、発明者：高村秀樹）がある。
この先行技術は、マラソン大会のコース上の通過地点に検知装置、撮影装置を設置し、携帯チップを装着した参加者が通過地点を通過するときに、検知装置が携帯チップを検知して参加者を撮影装置で撮影し、データベースに撮影画像と通過日時を記録する通過記録システムおよび通過記録方法である（特許文献１）。
【０００４】
また、別の先行技術として、昭和６０（１９８５）年９月１８日公開の特開昭６０−１８２９７２号公報「競技者トレーニング装置」（出願人：ジャン・ブレル・ソシエテ・アノニム、発明者：ジャン・ブレル他）がある。
この先行技術は、競技者のタイムを測定し、表示スクリーンに表示するものではあるが、競技者本人に個別にタイムを通知すると共に指導者へも個別にタイムを通知するものではない（特許文献２）。
【０００５】
また、別の先行技術として、平成２（１９９０）年２月９日公開の特開平０２−４０５８９号公報「二点間時間計測方式」（出願人：株式会社日本製鋼所、発明者：山本豊彦他）がある。
この先行技術は、移動体（競技者）に受信装置を装着し、スタート時のスタート識別信号とゴール時のゴール識別信号の受信によってタイムを計測するものではあるが、競技者が途中タイムを参照しながら状態を調整するようなものではなく、指導者へ個別に競技者のタイムを通知するものではない（特許文献３）。
【０００６】
【特許文献１】特開２００２−２８１４９２号公報
【特許文献２】特開昭６０−１８２９７２号公報
【特許文献３】特開平０２−０４０５８９号公報
【発明の開示】
【発明が解決しようとする課題】
【０００７】
しかしながら、上記従来の走者のタイム測定方法では、指導者（コーチ）にはランナーのラップタイムが分からないため、先回りしてタイム測定するか、または誰かに通過ポイントでタイムを測定してもらい、電話で通知してもらうしか手はなかった。
【０００８】
このような状況では、指導者は、走者のタイムを得るために多くの時間を要し、更にそのタイムに基づいてランナーに対して適正なアドバイスを瞬時にできないという問題点があった。
【０００９】
本発明は上記実状に鑑みて為されたものであり、走者のポイント通過タイムを走者と指導者が容易に知ることができ、更に指導者から走者へのアドバイスを容易に伝達できるタイム測定システムを提供することを目的とする。
【課題を解決するための手段】
【００１０】
上記従来例の問題点を解決するための本発明は、タイム測定システムにおいて、特定地点に設置され、定期的に機器の識別子を含む信号を送信する子機と、子機からの信号を受信して特定地点の通過タイムを計算して表示すると共に、当該通過タイムと機器の識別子を送信する競技者装置と、競技者装置から送信された信号を受信し、機器の識別子と通過タイムとを出力する指導者装置とを有することを特徴とする。
【００１１】
本発明は、上記タイム測定システムにおいて、指導者装置が、競技者装置にメッセージを送信し、競技者装置が、当該メッセージを受信して表示することを特徴とする。
【００１２】
本発明は、上記タイム測定システムにおいて、競技者装置が、表示の際にアラームを発生させるものであることを特徴とする。
【００１３】
本発明は、上記タイム測定システムにおいて、子機が、微弱無線により送信を行い、競技者装置が、微弱無線で子機からの信号を受信し、指導者装置とは微弱無線の通信距離より長い通信距離の小型小電力方式の無線で送受信を行い、指導者装置が、競技者装置と該小型小電力方式の無線で送受信を行うことを特徴とする。
【発明の効果】
【００１４】
本発明によれば、特定地点に設置され、定期的に機器の識別子を含む信号を送信する子機と、子機からの信号を受信して特定地点の通過タイムを計算して表示すると共に、当該通過タイムと機器の識別子を送信する競技者装置と、競技者装置から送信された信号を受信し、機器の識別子と通過タイムとを出力する指導者装置とを有するタイム測定システムとしているので、競技者装置を携帯する競技者は通過タイムを知ることができると共に、指導者装置にも通過タイムを知らせることができる効果がある。
【００１５】
本発明によれば、指導者装置が、競技者装置にメッセージを送信し、競技者装置が、当該メッセージを受信して表示する上記タイム測定システムとしているので、指導者からのメッセージを競技者に伝達でき、走行の組み立てを容易にできる効果がある。
【００１６】
本発明によれば、競技者装置が、表示の際にアラームを発生させる上記タイム測定システムとしているので、競技者は通過タイムと指導者からのメッセージの表示を、アラームで認識できる効果がある。
【００１７】
本発明によれば、子機が、微弱無線により送信を行い、競技者装置が、微弱無線で子機からの信号を受信し、指導者装置とは微弱無線の通信距離より長い通信距離の小型小電力方式の無線で送受信を行い、指導者装置が、競技者装置と該小型小電力方式の無線で送受信を行う上記タイム測定システムとしているので、通過タイム測定には通信距離の短い微弱電話を用い、競技者と指導者との間ではそれより通信距離が長い小型小電力方式の無線を用いて現実的なシステムにできる効果がある。
【発明を実施するための最良の形態】
【００１８】
本発明の実施の形態について図面を参照しながら説明する。
本発明の実施の形態に係るタイム測定システムは、通過ポイントに設置された子機から定期的な無線信号（子機の機器ＩＤ［識別子］を含む）を発信し、走者（競技者）が装着する競技者装置がその信号を最初に受信した時刻とその信号を受信しなくなった時刻とから通過ポイントの通過タイムを算出し、算出したタイム及び子機ＩＤを指導者装置に送信し、指導者装置は子機ＩＤと算出したタイムを受信し、それに基づいたアドバイスを競技者装置に送信するものであり、走者と指導者は通過タイムを容易に知ることができ、更に指導者からのアドバイスを走者に容易に知らせることができるものである。
【００１９】
本発明の実施の形態に係るタイム測定システムの概要について図１を参照しながら説明する。図１は、本発明の実施の形態に係るタイム測定システムの概略図である。
本発明の実施の形態に係るタイム測定システム（本システム）は、図１に示すように、複数の通過ポイントに設置された子機１００と、走者が装備する競技者装置２００と、指導者が保持する指導者装置３００と、パーソナルコンピュータ（ＰＣ）４００と、携帯電話機５００とを基本的に有している。
【００２０】
本システムの各部を説明する。
子機１００は、微弱電波を利用した送信装置であり、定期的（例えば、１秒毎）に装置（機器）のＩＤ（識別子）を含む特定信号を送信している。子機ＩＤは、通過ポイントを識別するために用いられるものである。
【００２１】
競技者装置２００は、子機１００からの微弱電波の特定信号を継続して受信し、機器ＩＤを含む信号について最初に受信した時刻と最後に受信した時刻を記憶し、それら時刻からポイントの通過タイムを算出し、表示部に表示すると共に子機ＩＤと伴に通過タイムを指導者装置３００に小型小電力方式で送信する。
また、競技者装置２００は、指導者装置３００からの小型小電力方式の信号を受信し、その表示部に信号の内容を表示する。
【００２２】
指導者装置３００は、競技者装置２００からの信号（ポイント通過のタイム及び子機ＩＤの信号）を受信し、接続するＰＣ４００又は携帯電話機５００に出力する。
また、指導者装置３００は、指導者から入力されたアドバイスのデータを小型小電力方式で競技者装置２００向けに送信する。
【００２３】
パーソナルコンピュータ（ＰＣ）４００は、ケーブルで指導者装置３００に接続し、指導者装置３００からのポイント通過のタイムのデータ及び子機ＩＤが入力され、子機ＩＤからポイントを特定し、各ポイント通過のタイムからラップタイムを計算する。
また、ＰＣ４００は、起伏等の地形のデータとこれまでのタイムを元に、その後のタイム予測を計算できるものであり、また、これまでの練習成果のデータをデータベース化して利用することも可能である。
また、ＰＣ４００は、集計したデータを携帯電話機５００に電子メールで通知することもできる。
【００２４】
携帯電話機５００は、ケーブルで指導者装置３００に接続可能で、ポイント通過タイムのデータを表示するものである。
また、携帯電話機５００は、ＰＣ４００から電子メールを受信して集計データを表示する。
【００２５】
次に、各部の内部構成について図２を参照しながら説明する。図２は、本システムの子機、競技者装置、指導者装置の内部構成を示した構成ブロック図である。
子機１００は、図２に示すように、無線部１と、信号処理部２と、アンテナ部３と、情報処理部４とを基本的に有している。
競技者装置２００は、無線部１と、信号処理部２と、アンテナ部３と、情報処理部４と、表示部５と、アラーム発生部６とを基本的に有している。
指導者装置３００は、無線部１と、信号処理部２と、アンテナ部３と、情報処理部４と、インタフェース７とを基本的に有している。
【００２６】
ここで、各部における無線部１と、信号処理部２と、アンテナ部３と、情報処理部４の構成及び動作は、同様のものとなっている。但し、子機２００における各部は送受信機能を備えていてもよいが、送信機能だけ備えていてもよい。
【００２７】
無線部１は、アンテナ部３から取り込まれた信号を増幅し、帯域制限してＩＦ（中間周波数：Intermediate Frequency）周波数帯にダウンコンバートし、更に信号処理部２への入力レベルに増幅する。
また、無線部１は、信号処理部２から入力された信号をＲＦ（無線周波数：Radio Frequency）周波数帯に変換し、帯域制限して微弱無線局の電界強度レベル内で高周波増幅する。
尚、無線部１の内部の具体的構成は後述する。
【００２８】
信号処理部２は、無線部１から入力された信号をキャリア復調し、逆拡散して同期した信号を復調し、受信データの復号を行って情報処理部４に出力する。
また、信号処理部２は、情報処理部４から入力されたデータを拡散変調し、波形整形してキャリア変調し、無線部１に出力する。
尚、信号処理部２の内部の具体的構成は後述する。
【００２９】
情報処理部４は、信号処理部２で復号した受信データからＩＤを取得し、取得したＩＤ（相手からのＩＤ）が自己のＩＤと一致するか否かを判定し、一致する場合に、受信データを取り込む。また、接続する装置から入力されたデータを信号処理部２に出力する。
尚、競技者装置２００の情報処理部４は、複数の子機１００のＩＤを全て管理しており、管理されているいずれかのＩＤであれば一致と判定してデータを取り込む。
また、競技者装置２００と指導者装置３００とは１対１に対応付けられているので、管理するＩＤも１対１である。
【００３０】
子機１００の情報処理部４は、子機の機器ＩＤを含む特定信号を定期的に信号処理部２に出力するものである。
また、競技者装置２００の情報処理部４は、子機１００からの特定信号を受信すると、受信する毎に内部に備えるタイマーから時刻を取得して記憶部に記憶する。
そして、最初に受信した受信時刻（受信開始時刻）と子機１００からの特定信号を受信しなくなった場合の最後に受信した受信時刻（受信終了時刻）とからポイント通過の時刻を算出し、更にスタート時刻をゼロとした場合の通過タイムを算出し、アラーム発生部６でアラームを発生させて表示部５に通過タイムを表示する。
【００３１】
尚、ポイント通過時刻を受信開始時刻の位置と受信終了時刻の位置の中間位置（受信開始時刻と受信終了時刻の中間値）であるとすると、以下の式で求められる。
ポイント通過時刻＝受信終了時刻−（受信終了時刻−受信開始時刻）／２
また、ポイント通過タイムは、スタート時刻をゼロすることから、以下の式で求められる。
ポイント通過タイム＝ポイント通過時刻−スタート時刻
【００３２】
また、競技者装置２００の情報処理部４は、指導者装置３００から受信したアドバイス等のメッセージを入力し、アラーム発生部６でアラームを発生させて表示部５にメッセージを表示する。
表示部５は、受信したデータを表示するものである。
アラーム発生部６は、ポイント通過タイムを計算して表示部５に表示する際に、また、指導者装置３００からのメッセージの信号を受信して表示部５に表示する際にアラームを発生させてランナーに報知するものである。
【００３３】
指導者装置３００の情報処理部４は、競技者装置２００から受信したデータを信号処理部２から入力し、インタフェース７を介してＰＣ４００又は携帯電話機５００に出力する。
また、指導者装置３００の情報処理装置４は、ＰＣ４００又は携帯電話機５００からインタフェース７を介して入力されたデータを競技者装置２００宛に送信するために信号処理部２に出力する。
【００３４】
次に、本システムにおける無線部１の構成について図３を参照しながら説明する。図３は、無線部１の構成ブロック図である。
無線部１は、図３に示すように、バンドパスフィルタ（ＢＰＦ）１１と、パワーアンプ（ＰＡ）１２と、低雑音増幅器（Low Noise Amplifier：ＬＮＡ）１３と、スイッチ（ＳＷ）１４、スイッチ（ＳＷ）１５、バンドパスフィルタ（ＢＰＦ）１６と、スイッチ（ＳＷ）１７、発振器（Oscillator：ＯＳＣ）１８、受信ミキサ１９、ローパスフィルタ（ＬＰＦ）２０と、可変利得増幅器（Automatic Gain Control Amplifier：ＡＧＣ）２１と、ローパスフィルタ（ＬＰＦ）２２と、送信ミキサ２３とを基本的に有している。
【００３５】
ここで、ＢＰＦ１６は、アンテナ部３で受信されたＶＨＦ帯以上の周波数のキャリア帯信号をフィルタリングする水晶フィルタ（３１５ＭＨｚ±２０ｋＨｚ）を用い、ＯＳＣ１８は、水晶振動子（３１５ＭＨｚ−４８ｋＨｚ）を具備する高周波ローカル発振器を用い、温度特性及び経年変化特性がそれぞれ互いに実質的に同じになる動作環境となる部位に実装する。
【００３６】
このような実装とすることで、仮に周波数のずれが発生した場合であっても、そのずれの方向が両者同じ方向になるので、不都合を回避することができる。
ここで、「同じ動作環境」とは、例えば、水晶フィルタ及び水晶振動子を、各々の温度特性を実質的に同じにする材質から成る一つのモジュール容器に同梱すること等をいう。
【００３７】
アンテナフィルタとして水晶フィルタを用いることは、従来のＳＡＷフィルタに比べて極めて狭帯域の帯域制限を実現できるものであり、キャリア帯信号が通過する帯域幅は数十ｋＨｚ程度であって、ＳＡＷフィルタに比べて格段に狭帯域となる。
そのため、エネルギー保存の法則により、同じエネルギー（送信時の電力）に対する受信側の受信感度を飛躍的に向上させることができる。
【００３８】
そもそも、水晶フィルタは、短波帯までの比較的短い周波数の無線機で使用されているが、水晶フィルタの実現可能範囲に一定の上限があるため、近距離無線通信システムにおいてＶＨＦ帯（３０〜３０ＭＨｚ）又はＵＨＦ帯（３００ＭＨｚ〜３ＧＨｚ）の周波数での使用は考えられていなかった。そのため、高周波帯用に開発されたＳＡＷフィルタが上記近距離無線通信システムに使用されたものの、広帯域のＳＡＷフィルタでは受信感度を高めることはできず、最大２０ｍ程度の通信距離での運用となっていた。
【００３９】
しかしながら、水晶フィルタを開発・製造する出願人の努力により、水晶フィルタが使用可能な周波数の範囲は拡大される方向にあり、更に、水晶は、基本波の他に、オーバートーン（基本波の周波数に対して奇数倍の周波数で使用可能であること）を利用し、水晶フィルタをＶＨＦ帯以上の高周波でもアンテナフィルタに適用できるに至った。
【００４０】
水晶フィルタは、例えば、ＡＴカットした水晶片を有している。ＡＴカットは、水晶のＸ軸に平行でＺ軸から３５度１５分近辺にカットしたもので、周波数温度特性が広い温度範囲にわたって３次曲線の極めて良好な特性を示す。
水晶フィルタは、例えば、３次オーバートーン、１００〜１３０ＭＨｚ、好ましくは１０５ＭＨｚのものを３１５ＭＨｚで使用する。
これにより、水晶フィルタの３ｄＢ減衰域での帯域幅は、数十ｋＨｚ程度となり、ＳＡＷフィルタの帯域幅と比較すると、格段に狭帯域となり、受信感度が飛躍的に向上でき、通信距離が最大１５０ｍ程度を実現できたものである。
【００４１】
また、無線部１において、微弱無線方式では、送信用の増幅器であるパワーアンプ（ＰＡ）のゲインを−４２ｄＢｍに設定するが、特定小電力方式では、ＰＡのゲインを１０ｄＢｍに設定することで、それぞれの方式が実現できるものである。
【００４２】
次に、無線部１における動作を説明する。
まず、無線機１における受信の動作を説明する。
アンテナ部３から入力された信号は無線部１に入力され、ＢＰＦ１１を通過して帯域制限された後に、ＳＷ１４にて受信側に切り替えられ、ＬＮＡ１３で増幅され、ＳＷ１５でＢＰＦ１６に出力される。
【００４３】
そして、信号は、ＢＰＦ１６で帯域制限され、ＳＷ１７で受信側に切り替えられ、受信ミキサ１９でＯＳＣ１８からの発振周波数を用いて合成され、ＩＦ周波数帯へダウンコンバートされる。
ＩＦ周波数となった信号は、ＬＰＦ２０で受信ミキサ１９による高調波スプリアスを除去した後に、ＡＧＣ２１にて信号処理部２のアナログ／デジタル変換器（Ａ／Ｄ）３１に適切な一定の入力レベルに増幅される。
【００４４】
次に、無線機１における送信の動作を説明する。
信号処理部２から出力されたＩＦ信号は、ＬＰＦ２２にて高調波を除去してＯＳＣ１８からの発振周波数で送信ミキサ２３にてミキシングし、ＲＦ周波数帯に変換される。
その後にＳＷ１７でＲＦ周波数の信号はＢＰＦ１６に出力され、ＢＰＦ１６にて帯域制限され、ＳＷ１５が送信側に切り替えられ、ＰＡ１２にて微弱無線局の電界強度レベル内で高周波増幅される。
そして、ＳＷ１４を経由し、ＢＰＦ１１にて空間に放射される最後の帯域制限を行い、アンテナ部３からアンテナ送信される。
【００４５】
次に、本システムにおける信号処理部２の構成について図４を参照しながら説明する。図４は、信号処理部２の構成ブロック図である。
信号処理部２は、図４に示すように、アナログ／デジタル変換器（Ａ／Ｄ）３１と、キャリア復調回路３２と、ＡＧＣ制御回路３３と、キャリアデータ生成回路３４と、拡散符号生成回路３５と、逆拡散回路３６と、同期回路３７と、ＢＰＳＫ（２相位相変調方式：Binary Phase Shift Keying）復調回路３８と、データ受信回路３９と、データ生成回路４０と、拡散回路４１と、ＢＰＳＫ変調回路４２と、波形整形回路４３と、キャリア変調回路４４と、デジタル／アナログ変換器（Ｄ／Ａ）４５とを基本的に有している。
【００４６】
次に、信号処理部２における動作を説明する。
まず、信号処理部２における受信の動作を説明する。尚、以下の信号処理部２は、親機のものを想定している。
無線部１から入力された信号は、アナログ／デジタル変換器（Ａ／Ｄ）３１でデジタル値となった後にキャリア復調回路３２によりキャリアデータ生成回路３４から出力されるキャリアデータを用いて復調され、Ｉ成分とＱ成分の複素データに分割される。
このとき、ＡＧＣ２１の利得の制御をＡＧＣ制御回路３３で行う。具体的には、キャリア復調回路３２から出力されるＩ成分とＱ成分について、Ｉ成分の２乗とＱ成分の２乗との和の平方根を使って一定になるようＡＧＣ２１に制御信号を出力する。
【００４７】
次に、受信した複素データに対して、拡散符号生成回路３５から生成された拡散符号を用いて逆拡散回路３６でそれぞれ逆拡散処理を行う。逆拡散に使う符号は相手側の送信に使用された拡散符号を使って行われる。
次に、同期回路３７において、マッチドフィルタを用いて相関検出を行い、予め決められた閾値以上のピークを検出したときを同期タイミングとして、相手側と同期して受信が行われる。
同期した信号をＢＰＳＫ復調回路３８でＢＰＳＫ復調し、元のデータに復号してデータ受信回路３９に出力する。データ受信回路３９は、復号したデータを情報処理部４に出力する。
【００４８】
尚、同期回路３７で同期タイミングが得られると、同期回路３７は、当該同期タイミングに基づいて、無線部１、信号処理部２における全ての回路等に受信用同期タイミング、送信用同期タイミングを出力する。
【００４９】
次に、信号処理部２における送信の動作を説明する。
情報処理部４からの送信用のデータは、データ生成回路４０に入力され、データ生成回路４０は、送信用データを拡散回路４１に出力する。
拡散回路４１では、拡散符号生成回路３５から出力される予め決められた拡散符号により拡散変調を行い１、０の信号に拡散する。それをＢＰＳＫ変調回路４２でＢＰＳＫ変調し、１、−１にレベル変換し、波形整形回路４３におけるデジタルフィルタにて波形整形をする。
【００５０】
波形整形した送信データに対して、キャリア変調回路４４にてキャリアデータ生成回路３４から出力されるＩＦ周波数である送信キャリアのデータを乗算する。このデジタル値をＤ／Ａ４５にてアナログ値に変換し無線周波数帯のＩＦ信号が無線部１のＬＰＦ２２に出力される。
【００５１】
本システムにおける各通信装置の無線部１、信号処理部２の各部は、集積化されたＩＣチップで構成され、水晶フィルタと共にモジュール容器に収容されて一体化されるようになっているので、小型化を図ることができる。
特に、水晶フィルタはＳＡＷフィルタより遙かに小型軽量であるため、小型化に向いている。
【００５２】
次に、競技者装置２００における情報処理部４における処理動作について図５を参照しながら説明する。図５は、本システムの競技者装置の情報処理部での処理を示すフローチャートである。
競技者装置２００の情報処理部４は、図５に示すように、ポイントに設置された子機１００からの信号を受信したか否かを判定し（Ｓ１）、受信していなければ（Ｎｏの場合）、当該判定処理Ｓ１を繰り返す。
【００５３】
判定処理Ｓ１で、子機１００からの信号を受信した場合（Ｙｅｓの場合）、受信した時刻Ａを情報処置部４の内部に設けられた記憶部に記憶する（Ｓ２）。その後、子機１００からの信号を継続して受信したときは、その受信時刻を順次、時系列に記憶部に記憶する。
次に、子機１００からの信号を受信しなくなったか否かを判定する（Ｓ３）。子機１００からの信号をまだ受信しているのであれば（Ｎｏの場合）、当該判定処理Ｓ３を繰り返す。
【００５４】
判定処理Ｓ３で、子機１００からの信号を受信しなくなった場合（Ｙｅｓの場合）、受信しなくなった時刻Ｂを記憶部に記憶する（Ｓ４）。ここで、受信しなくなった時刻Ｂとは、子機１００から定期的に送信される特定信号を前記定期の期間を越えて受信していないと判断した時刻となるが、子機１００から最後に受信した時刻を用いてもよい。
【００５５】
次に、情報処理部４は、時刻Ａと時刻Ｂから子機１００がポイントを通過した時刻を算出し（Ｓ５）、更に通過時刻から通過タイムを算出する。
そして、算出した通過タイムを指導者装置３００に特定小電力電波で送信するために信号処理部２に出力する（Ｓ６）。特定小電力で送信するには、無線部１の送信用増幅器（ＰＡ）でのゲインを１０ｄＢｍと高くするよう制御する。
このようにして、競技者装置２００の情報処理部４での処理が為される。
【００５６】
本システムでは、子機１００の通信距離を最大１５０ｍにすることができるが、ポイント通過の精度を高くするためには、子機１００の通信範囲を意図的に、例えば１０ｍと狭くするようにすれば、タイム測定の誤差が少なくなる。
子機１００の通信範囲は、地形との関係から感度等を調査した上で設定することが望ましい。
【００５７】
本システムによれば、通過ポイントに設置された子機１００から発信された定期的な特定信号からランナーが装着する競技者装置２００が通過時刻を算出し、表示部に表示して指導者装置３００に送信するようにしているので、ランナーは通過時刻を知ることができると共に、指導者にも通知でき、更に指導者からランナーにアドバイスを容易に伝達できて、走行の組み立てを容易にできる効果がある。
【００５８】
また、本システムでは、水晶フィルタと水晶発振子とを一つのモジュール容器に同梱し、無線部、信号処理部をパッケージ化して小型化するようにしているので、ランナーにとって装着し易い形状とすることができる。
【産業上の利用可能性】
【００５９】
本発明は、走者のラップタイムを走者と指導者が容易に知ることができ、更に指導者から走者へのアドバイスを容易に伝達できるタイム測定システムに好適である。
【図面の簡単な説明】
【００６０】
【図１】本発明の実施の形態に係るタイム測定システムの概略図である。
【図２】本システムの子機、競技者装置、指導者装置の内部構成を示した構成ブロック図である。
【図３】無線部１の構成ブロック図である。
【図４】信号処理部２の構成ブロック図である。
【図５】本システムの競技者装置の情報処理部での処理を示すフローチャートである。
【符号の説明】
【００６１】
１…無線部、  ２…信号処理部、  ３…アンテナ部、  ４…情報処理部、  ５…表示部、  ６…アラーム発生部、  ７…インタフェース、  １１…バンドパスフィルタ（ＢＰＦ）、  １２…パワーアンプ（ＰＡ）、  １３…低雑音増幅器（ＬＮＡ）、  １４…スイッチ（ＳＷ）、  １５…スイッチ（ＳＷ）、  １６…バンドパスフィルタ（ＢＰＦ）、  １７…スイッチ（ＳＷ）、  １８…発振器（ＯＳＣ）、  １９…受信ミキサ、  ２０…ローパスフィルタ（ＬＰＦ）、  ２１…可変利得増幅器（ＡＧＣ）、  ２２…ローパスフィルタ（ＬＰＦ）、  ２３…送信ミキサ、  ３１…アナログ／デジタル変換器（Ａ／Ｄ）、  ３２…キャリア復調回路、  ３３…ＡＧＣ制御回路、  ３４…キャリアデータ生成回路、  ３５…拡散符号生成回路、  ３６…逆拡散回路、  ３７…同期回路、  ３８…ＢＰＳＫ復調回路、  ３９…データ受信回路、  ４０…データ生成回路、  ４１…拡散回路、  ４２…ＢＰＳＫ変調回路、  ４３…波形整形回路、  ４４…キャリア変調回路、  ４５…デジタル／アナログ変換器（Ｄ／Ａ）  １００…子機、  ２００…競技者装置、  ３００…指導者装置、  ４００…パーソナルコンピュータ（ＰＣ）、  ５００…携帯電話機
【図１】
2006116084.tif 000003
【図２】
2006116084.tif 000004
【図３】
2006116084.tif 000005
【図４】
2006116084.tif 000006
【図５】
2006116084.tif 000007